(57)【要約】【課題】従来に比べて労力やコストが掛からず、安定的にナマコを量産することができるナマコの種苗放流方法を提供する。【解決手段】本発明に係るナマコの種苗放流方法は、袋状の第１の網１３の中に、貝殻１１を敷き詰めた貝殻層１２とナマコの種苗が付着した第２の網１０とを交互に積層して貝殻層１２間に第２の網１０を介装する工程と、外周部に複数の貫通孔１５ａが形成された筒体１５を海底に立設する工程と、貝殻１１と第２の網１０が収納された第１の網１３を、海底に立設された筒体１５に挿入する工程とを備えている。【選択図】図１
2017055719.tif 000002
【特許請求の範囲】
【請求項１】
袋状の第１の網の中に、貝殻を敷き詰めた貝殻層とナマコの種苗が付着した第２の網とを交互に積層して前記貝殻層間に前記第２の網を介装する工程と、外周部に複数の貫通孔が形成された筒体を海底に立設する工程と、前記貝殻と前記第２の網が収納された前記第１の網を、海底に立設された前記筒体に挿入する工程とを備えることを特徴とするナマコの種苗放流方法。
【請求項２】
請求項１記載のナマコの種苗放流方法において、海底に立設された前記筒体の周囲に石材を積み付けることを特徴とするナマコの種苗放流方法。
【発明の詳細な説明】
【技術分野】
【０００１】
本発明は、ナマコの種苗放流方法に関する。
【背景技術】
【０００２】
近年、中国では、急速な経済発展によって富裕層が増加し、高級食材であるナマコの需要が拡大している。これに伴い、日本から中国に向けて輸出されるナマコ製品が急増している。しかし、ナマコの乱獲が進むと、ナマコ資源が枯渇してナマコの安定供給ができなくなるだけでなく、海洋生物の多様性保全にも悪影響を及ぼすおそれがある。そこで、ナマコ資源の回復を図るための方策としてナマコの養殖や増殖などが行われている。
【０００３】
養殖は、一定区域を占有して、その区域内で自己所有の魚介類や藻類などの生活と環境を管理し、それら生物の繁殖や成長を図り、目的とする大きさ（商品サイズ）まで育成する方法である。例えば特許文献１では、養殖槽本体の底部に配置されたナマコ収納用の格子枠の上方にバッフルが配置され、養殖槽本体の側壁に設けられた通水窓に側部網が張設されると共に、養殖槽本体の頂部開口に頂部網が張設されたナマコ養殖施設が開示されている。
【０００４】
また、増殖は、天然水域において漁業資源が減少してきた際に、これを回復し、あるいはより積極的に天然資源を増大・維持する手段と技法を指し、ナマコの場合、人工採苗や天然採苗などが行われている。
【０００５】
ナマコの人工採苗では、親ナマコから採取した卵と精子とを混ぜ合わせて受精させ、孵化した幼生を回収して幼生飼育を行い、稚ナマコに成長すると中間育成が行われる。体長が１５ｍｍ〜２０ｍｍ程度に成長した稚ナマコは、水深１０ｍ以浅の岩礁帯や転石帯に潜水放流もしくは船上から直撒き放流される。
一方、天然採苗は、人工採苗に比べてコストが低く、労力も掛からないが、天然の再生産力に依存するため、環境条件に大きく左右される。
【先行技術文献】
【特許文献】
【０００６】
【特許文献１】実開昭６４−４３６６６号公報
【非特許文献】
【０００７】
【非特許文献１】（地独）青森県産業技術センター水産総合研究所，「ナマコ種苗放流マニュアル」，平成２４年３月
【発明の概要】
【発明が解決しようとする課題】
【０００８】
放流した稚ナマコは、害敵による食害や潮流の影響を受けて減耗する。非特許文献１では、底質の異なる海域における放流稚ナマコの残留率に関する調査が行われている。当該調査では、底質の異なる海域ごとに１０ｍ四方の試験区を設定して各試験区の中央１ｍ２に、体長２０ｍｍ前後の稚ナマコを１０００個体又は２０００個体放流し、放流した稚ナマコの生残、移動について定期的に調査している。その結果、全ての試験区において放流直後から稚ナマコが減少し、放流後２０週目には、試験区の中央１ｍ２において、稚ナマコの生息を殆ど確認することができなかったと報告されている。
【０００９】
このように、放流した稚ナマコの減耗は避けることができないが、放流する稚ナマコのサイズが大きいほど放流効果は高くなると一般に言われている。しかし、大型種苗の生産は労力やコストが掛かるだけでなく、生産量も限られるという問題がある。
なお、「種苗」とは、養殖や放流に用いる水生動物の卵や幼生のことであって、本明細書では、ナマコの幼生及び稚ナマコを総称して「種苗」と呼ぶ。
【００１０】
本発明はかかる事情に鑑みてなされたもので、従来に比べて労力やコストが掛からず、安定的にナマコを量産することができるナマコの種苗放流方法を提供することを目的とする。
【課題を解決するための手段】
【００１１】
上記目的を達成するため、本発明に係るナマコの種苗放流方法は以下の工程を備えることを特徴としている。
（１）袋状の第１の網の中に、貝殻を敷き詰めた貝殻層とナマコの種苗が付着した第２の網とを交互に積層して前記貝殻層間に前記第２の網を介装する工程
（２）外周部に複数の貫通孔が形成された筒体を海底に立設する工程
（３）前記貝殻と前記第２の網が収納された前記第１の網を、海底に立設された前記筒体に挿入する工程
【００１２】
本発明では、ナマコの種苗が、その生長に伴って、第２の網から、第２の網に隣接する貝殻の中へ生息場所を移動する。その間、ナマコ種苗は、筒体や筒体内の貝殻によって害敵や潮流から保護される。貝殻の中で、ある程度の大きさに生長した稚ナマコ（種苗）は、筒体に形成された貫通孔から筒体外へ移動し、筒体の周囲で生息する。
【００１３】
また、本発明に係るナマコの種苗放流方法では、海底に立設された前記筒体の周囲に石材を積み付けることを好適とする。
【００１４】
当該構成では、筒体が潮流で流されないように、石材で筒体を海底に固定すると共に、石材間の隙間が、筒体外へ移動した稚ナマコの新たな生息場所となり、害敵や潮流から稚ナマコを保護する。
【発明の効果】
【００１５】
本発明に係るナマコの種苗放流方法では、害敵や潮流の影響を排除しつつ、ナマコ種苗の生長過程に応じた生息場所を提供できるので、放流後におけるナマコ種苗の残留率が高く、従来のような労力やコストを掛けることなく、安定的にナマコを量産することができる。
【図面の簡単な説明】
【００１６】
【図１】本発明の一実施の形態に係るナマコの種苗放流方法の手順を説明するための分解斜視図である。
【図２】海底に設置された筒体の立断面図である。
【発明を実施するための形態】
【００１７】
続いて、添付した図面を参照しつつ、本発明を具体化した実施の形態について説明し、本発明の理解に供する。
【００１８】
本発明の一実施の形態に係るナマコの種苗放流方法の手順を図１及び図２を用いて説明する。
（１）線材によって形成された有底円筒状もしくは逆円錐台状のカゴ１４の中に、上端が開口部とされた袋状の第１の網１３をセットする。その際、第１の網１３の開口部を外側に折り返しておくと、その後の作業がやりやすくなる。
【００１９】
（２）第１の網１３の中に、底が見えなくなる程度に貝殻１１を敷き詰めて貝殻層１２を形成する。その際、周囲に壁を作るような感じで貝殻１１を敷き詰めていき、後述する第２の網１０に付着したナマコの種苗が側方に逸脱するのを防止する。
（３）敷き詰めた貝殻１１、即ち貝殻層１２の上に、ナマコの種苗が付着した第２の網１０を敷く。第２の網１０が外から見えないようにするため、可能な限り、貝殻１１の中に第２の網１０を収めるようにする。ただし、貝殻１１の中に第２の網１０を収める際、ナマコの種苗が逸脱しないように慎重に取り扱う。
【００２０】
（４）第２の網１０の上に、第２の網１０が見えなくなる程度に貝殻１１を敷き詰めて貝殻層１２を形成する。その際、先ほどと同様、周囲に壁を作るような感じで貝殻１１を敷き詰めていく。なお、貝殻１１を押し込むと、第２の網１０に付着しているナマコの種苗が潰れてしまう可能性があるので、慎重に敷き詰めていく。
（５）上述した（３）と（４）の作業を４〜５回程度繰り返し、貝殻層１２間に第２の網１０が介装された積層体を第１の網１３の中に形成する。その後、第１の網１３の上端部を閉じて開口部を塞ぐ。
【００２１】
（６）外周部に複数の貫通孔１５ａが形成された筒体１５を、水深１０ｍ以浅（好ましくは水深５ｍ程度）の海底１７に立設し、筒体１５の周囲に石材１６を積み付ける。
（７）貝殻１１と第２の網１０が収納された第１の網１３を、カゴ１４の中に入れた状態で、海底１７に立設された筒体１５に挿入する。カゴ１４と筒体１５との間に隙間があるときは、隙間に貝殻１１を挟み込み、第１の網１３が動かないようにする。
【００２２】
筒体１５の材質は、塩化ビニールなどの合成樹脂である。本実施の形態では、筒体１５の外径を３０ｃｍ、高さを６０ｃｍ、貫通孔１５ａの径を５ｃｍ、貫通孔１５ａの中心間距離を１０ｃｍとしている。また、カゴ１４を構成する線材の材質はポリプロピレンなどの合成樹脂とし、カゴ１４の外径は筒体１５の内径とほぼ同じサイズとしている。
【００２３】
貝殻１１としては、カキ殻やホタテ貝殻のように表面が起伏に富むものが好ましい。
第２の網１０に付着している種苗には、生後１０日〜２週間程度のものを使用する。
【００２４】
第１の網１３は、ポリエチレンなどの合成樹脂からなり、目合（網目の大きさ）は１０ｍｍ〜１５ｍｍ程度としている。また、第２の網１０はナイロンなどの合成樹脂からなり、目合は０．２ｍｍ〜０．３ｍｍ程度である。
【００２５】
石材１６には、１５ｃｍ〜３０ｃｍ程度の大きさのものが好適である。
【００２６】
第２の網１０に付着したナマコの種苗は、その生長に伴って、第２の網１０から、第２の網１０に隣接する貝殻１１の中へ生息場所を移動する。貝殻１１の中で、ある程度の大きさに生長した稚ナマコ（種苗）は、筒体１５に形成された貫通孔１５ａから筒体１５外へ移動し、筒体１５の周囲に積み付けられた石材１６間の隙間を新たな生息場所とする。ナマコの種苗は、筒体１５や筒体１５内の貝殻１１あるいは石材１６によって害敵や潮流から保護される。
【００２７】
以上、本発明の一実施の形態について説明してきたが、本発明は何ら上記した実施の形態に記載の構成に限定されるものではなく、特許請求の範囲に記載されている事項の範囲内で考えられるその他の実施の形態や変形例も含むものである。例えば、上記実施の形態では、筒体の形状を円筒状としているが、これに限定されるものではなく、多角柱状など他の形状でもよい。また、上記実施の形態では、筒体を合成樹脂製としているが、ＦＲＰ製やコンクリート製等としてもよい。
【符号の説明】
【００２８】
１０：第２の網、１１：貝殻、１２：貝殻層、１３：第１の網、１４：カゴ、１５：筒体、１５ａ：貫通孔、１６：石材、１７：海底
【図１】
2017055719.tif 000003
【図２】
2017055719.tif 000004